(57)【要約】【課題】太陽電池を用いた独立電源装置では、二次電池は満充電から貯蔵電気量が枯渇する直前までの間を日々繰り返すため、フロート充電では、寿命を長くできないという課題があった。【解決手段】本発明に係る独立電源装置は、二次電池に出入りする電流量を逐次算出しておき、バルク充電によって一定の容量まで充電を行った後は、吸収充電によって放電した電気量分が補充されるまで充電を続け、放電した電気量と充電した電気量が等しくなったら、充電を停止するゼロ充電モードに入る。また、５〜６日に１度程度は定格容量以上に充電を継続し、充放電電気量の値をリセットする。これによって二次電池の蓄積している電気量を正確に把握でき、満充電から枯渇直前まで充放電を繰り返しても、二次電池の寿命は短くならない。【選択図】図１
2014209827.tif 000002
【特許請求の範囲】
【請求項１】
太陽エネルギーにて発電する太陽電池モジュールと、
前記太陽電池モジュールで発電した発電電力を負荷に供給するとともに、余剰電力を二
次電池に充電し、前記発電電力が不足した時は前記二次電池から前記負荷に不足電力を供
給する独立電源装置であって、
前記太陽電池モジュールにて発電した電力の前記二次電池への充電量および前記負荷に
対する電力供給量を制御する充放電制御手段と、
前記二次電池の電圧を計測する電圧センサと、
前記二次電池への充電電流および前記二次電池からの放電電流を計測する充放電電流セ
ンサと、
前記電圧センサと前記充放電電流センサからの計測値に基づいて前記二次電池への充電
電気量および前記二次電池からの放電電気量の合計である充放電電気量を演算する充放電
電気量演算手段を有し、
前記充放電制御手段は前記二次電池を充電する際は、
前記二次電池の電圧が定電圧設定値に達した後に前記充放電電気量がマイナス値からゼ
ロに達するまで前記二次電池の充電電圧を前記定電圧設定値に保つことを特徴とする独立
電源装置。
【請求項２】
前記充放電制御手段は、前記二次電池が前記充放電電気量がマイナス値からゼロに達す
るまで充電されたら、前記発電電力を前記負荷への電力供給だけに使用することを特徴と
する請求項１に記載された独立電源装置。
【請求項３】
前記充放電制御手段は、所定期間毎に前記充放電電気量があらかじめ設定された値以上
になるまで充電を行い、前記充放電電気量の値をリセットすることを特徴とする請求項１
または２の何れか１項に記載された独立電源装置。
【請求項４】
前記充放電制御手段は、前記二次電池の電圧が前記定電圧設定値になった時刻と、前記
充放電電気量がゼロに達した時刻の時間間隔が所定の時間以下になった場合に、前記充放
電電気量があらかじめ設定された値以上になるまで充電を行うことを特徴とする請求項１
または２の何れか１項に記載された独立電源装置。
【請求項５】
前記充放電制御手段は、前記充放電電気量が前記あらかじめ設定された値以上になる前
に、充電できなくなった場合は、翌日に不足分を充電することを特徴とする請求項３また
は４の何れか１項に記載された独立電源装置。
【請求項６】
前記あらかじめ設定された値以上になるまで充電を行った後、前記電圧センサの値を調べ、前記電圧センサの値が所定の値より低い値であった場合は、電池劣化信号を生成することを特徴とする請求項３または５の何れか１項に記載された独立電源装置。
【発明の詳細な説明】
【技術分野】
【０００１】
本発明は太陽電池モジュールと二次電池を組み合わせた独立電源装置に関する発明である。
【背景技術】
【０００２】
太陽電池は太陽光を用いて発電する電池である。無尽蔵ともいえる太陽光を利用するため、クリーンで安全なエネルギーとして注目されている。しかし、夜間の太陽光がない時間帯では、発電できなくなるという課題があった。そこで、太陽電池によって発電した電気を二次電池に貯えて置き、昼間は、太陽光による発電の電気を利用し、夜間は昼間充電しておいた二次電池の電気を負荷に供給する独立電源装置が提唱されている（特許文献１）。
【０００３】
また、二次電池の充電方法に関しては、トリクル充電やフロート充電といった方法が提唱されている（特許文献２）。ここでトリクル充電とは、二次電池の自己放電分だけを充電すべく、微小電流で充電を継続する方法をいう。この充電方法では、大きく放電した電力を再度充電するには、時間がかかるものの、過充電を心配する必要はあまりない。
【０００４】
一方、フロート充電とは、満充電になるまで充電した後は、バイパス回路によって電流を他（負荷等）に流し、二次電池への負担を低減する方法である。電圧は二次電池にかけたままであるので、充電しながら負荷にも電力を供給されるという特徴がある。このような方法で充電するために、フロート充電は二次電池を長持ちさせることができるとされている。
【先行技術文献】
【特許文献】
【０００５】
【特許文献１】特開平０５−０７４４９９号公報
【特許文献２】特開平０８−０１７４７３号公報
【発明の概要】
【発明が解決しようとする課題】
【０００６】
太陽電池を用いた独立電源装置は、太陽電池モジュールからの電力を負荷に出力する。したがって、夜間太陽電池モジュールが発電を行わない場合は、二次電池の電力を負荷に供給することになる。すなわち、太陽電池を用いた独立電源装置では、二次電池は夜間と昼間で放電と充電を繰り返すため、負担が多いと言える。
【０００７】
このような二次電池に充電を行う際は、放出した電力を所定電圧まで最大電力で充電するバルク充電と、過充電を防止するために所定時間定電圧充電を行う吸収充電と、その後自己放電分を補う電圧で充電と負荷への電力供給を行うフロート充電が行われている。
【０００８】
しかし、フロート充電は、常に満充電に近い状態で使用される二次電池に対しては、長寿命化に効果があるものの、太陽電池を用いた独立電源装置では、満充電から貯蔵電力が枯渇する直前までの間を日々繰り返すため、通常言われているように二次電池の寿命を長くできないという課題があった。
【課題を解決するための手段】
【０００９】
本発明は、上記の課題に鑑みて想到されたものである。本発明の発明者は、満充電と大量の電力放電を繰り返す二次電池にあっては、バルク充電、定電圧充電後は、全く充電を行わないゼロ充電にするのが、電池寿命を延ばすのに効果があることを実験で知見し、完成するに至った。
【００１０】
より具体的に本発明の独立電源装置は、
太陽エネルギーにて発電する太陽電池モジュールと、
前記太陽電池モジュールで発電した発電電力を負荷に供給するとともに、余剰電力を二次電池に充電し、前記発電電力が不足した時は前記二次電池から前記負荷に不足電力を供給する独立電源装置であって、
前記太陽電池モジュールにて発電した電力の前記二次電池への充電量および前記負荷に対する電力供給量を制御する充放電制御手段と、
前記二次電池の電圧を計測する電圧センサと、
前記二次電池への充電電流および前記二次電池からの放電電流を計測する充放電電流センサと、
前記電圧センサと前記充放電電流センサからの計測値に基づいて前記二次電池への充電電気量および前記二次電池からの放電電気量の合計である充放電電気量を演算する充放電電気量演算手段を有し、
前記充放電制御手段は前記二次電池を充電する際は、
前記二次電池の電圧が定電圧設定値（Ｖ２）に達した後に前記充放電電気量がマイナス値からゼロに達するまで前記二次電池の充電電圧を前記定電圧設定値（Ｖ２）に保つことを特徴とする。
【００１１】
また、本発明に係る独立電源装置では、
前記充放電制御手段は、前記二次電池が前記充放電電気量がマイナス値からゼロに達するまで充電されたら、前記発電電力を前記負荷への電力供給だけに使用することを特徴とする。
【００１２】
また、本発明に係る独立電源装置では、
前記充放電制御手段は、所定期間毎に前記充放電電気量があらかじめ設定された値以上になるまで充電を行い、前記充放電電気量の値をリセットすることを特徴とする。
【００１３】
また、本発明に係る独立電源装置では、
前記充放電制御手段は、前記二次電池電圧が前記定電圧設定値（Ｖ２）になった時刻と、前記充放電電気量がゼロに達した時刻の時間間隔が所定の時間以下になった場合に、前記充放電電気量があらかじめ設定された値以上になるまで充電を行うことを特徴とする。
【００１４】
また、本発明に係る独立電源装置は、
前記充放電制御手段は、前記充放電電気量が前記あらかじめ設定された値以上になる前に、充電できなくなった場合は、翌日に不足分を充電することを特徴とする。
【発明の効果】
【００１５】
本発明に係る独立電源装置は、使用する二次電池の満充電の状態から、使用した充放電電気量を記録しておき、充電を行う際は、充電する電気量と使用した充放電電気量が等しくなるまで定電圧で充電することとした。したがって、過充電になるおそれがない。
【００１６】
また、放電した電気量分を充電し終わった後は、全く充電を行わないゼロ充電モードになる。したがって、満充電と大量の放電を繰り返す、太陽電池モジュールを用いた独立電源装置の二次電池であっても、二次電池の寿命を延ばすことができる。
【００１７】
また、充放電のサイクルの内、所定回数（５乃至６回毎、すなわち５乃至６日に一度程度）に定格容量以上の過充電を行うことでさらに寿命を延ばすことができる。また、この際には、算出していた充放電電気量をリセットするので、充電損失によって、誤差ができる充放電電気量と実際の二次電池に蓄積された電気量の乖離を是正することができる。その結果、電池の残存電気量を正しく把握しながら使用することができる。
【００１８】
また、前記充放電制御手段は、前記二次電池電圧が前記定電圧設定値になった時刻と、前記充放電電気量がゼロに達した時刻の時間間隔が所定の時間以下になった場合に、前記充放電電気量があらかじめ設定された値以上になるまで充電を行うことを特徴とする。このような独立電源装置は、使用する二次電池の履歴を検討することなく、電池寿命を延ばすことができる。
【００１９】
さらに、所定の時期の過充電は、過充電を行った日に目標となる充放電電気量まで充電できなかった場合は、翌日に不足分の過充電量を充電することで、過充電の効果は維持される。
【図面の簡単な説明】
【００２０】
【図１】本発明に係る独立電源装置の構成を示す図である。
【図２】充放電制御手段の詳細な構成を示す図である。
【図３】充放電電気量演算手段のフローを示す図である。
【図４】本発明に係る独立電源装置の充電処理を時間軸で示したグラフである。
【図５】充電処理のフローを示す図である。
【図６】所定日毎に過充電を行う場合の充放電電気量（図６（ａ））と、実際の電池容量（図６（ｂ））の推移を示すグラフである。
【図７】実施の形態２に係る他の独立電源装置が過充電処理を行う際の判断現象を示すグラフである。
【図８】実施の形態２に係る独立電源装置の処理フローを示す図である。
【図９】図８のフローの一部を詳説したフローを示す図である。
【図１０】実施の形態３に係る独立電源装置が複数日に渡って過充電処理を行う充電挙動を示す図である。
【図１１】実施の形態３に係る独立電源装置の処理フローを示す図である。
【図１２】図１１の一部詳細フローを示す図である。
【図１３】実施の形態４に係る独立電源装置の構成を示す図である。
【図１４】図１３の充放電制御手段の詳細な構成を示す図である。
【図１５】二次電池が劣化して過充電処理を行っても電池容量が復帰しない場合を示す図である。
【図１６】実施の形態４に係る独立電源装置の処理フローを示す図である。
【図１７】開放端子電圧と電池容量の関係を示すグラフである。
【発明を実施するための形態】
【００２１】
以下に本発明に係る独立電源装置を図を用いて説明する。なお、下記の説明は本発明のいくつかの実施形態を例示するものであり、本発明は下記の説明に限定されるものではない。本発明の趣旨を逸脱しない限りにおいて、以下の実施形態は改変することができる。
【００２２】
（実施の形態１）
図１は、本発明に係る独立電源装置１の構成を示す図である。本発明の独立電源装置１は、太陽電池モジュール１０と、二次電池１２と、充放電制御手段１１と、電圧センサ１３と充放電電流センサ１４と、出力端子１５を有する。太陽電池モジュール１０は配線Ｌ１によって充放電制御手段１１と接続されている。充放電制御手段１１は、二次電池１２と配線Ｌ２で接続されており、また、出力端子１５と配線Ｌ３で接続されている。出力端子１５は配線Ｌ４で負荷１９と接続される。これらの配線は図１では太線で示した。これら配線Ｌ１乃至Ｌ４は、負荷１９に供給される若しくは二次電池１２に充電される電流が流れる。
【００２３】
太陽電池モジュール１０は、太陽光線から光起電力効果によって電気を取り出すデバイスで、シリコンや化合物半導体、色素増感型など特にタイプは問わない。二次電池１２も特に限定されるものではなく、鉛電池、ニッケル水素、リチウムイオンなど二次電池であればよいが、鉛電池が好適に利用できる。
【００２４】
電圧センサ１３は二次電池１２の電圧を検知するものであれば、特に限定されるものではない。また電圧センサ１３は充放電制御手段１１と信号線ＳＬ１で接続されている。電圧センサ１３は計測した電圧値ＳＶを信号線ＳＬ１を通じて充放電制御手段１１に送信する。
【００２５】
また充放電電流センサ１４は、電流センサであって、現在流れている電流が充電のための電流（充電電流）か、放電している電流（放電電流）かを判別できる電流センサである。充放電電流センサ１４は充放電制御手段１１と信号線ＳＬ２で接続されている。充放電電流センサ１４は計測した電流値ＳＡを信号線ＳＬ２を通じて充放電制御手段１１に送信する。
【００２６】
充放電制御手段１１は、充放電電流センサ１４の出力（ＳＡ）に基づいて、後述する充放電電気量ΣＣといった電気量を算出する。充放電制御手段１１は、例えば、ＭＰＵ（Ｍｉｃｒｏ  Ｐｒｏｃｅｓｓｏｒ  Ｕｎｉｔ）とメモリといった組み合わせのコンピュータで実現できる。
【００２７】
また、太陽電池モジュール１０は起電力モニタ１６を有し、充放電制御手段１１と信号線ＳＬ３で接続されている。起電力モニタ１６は、現在の太陽電池モジュール１０の起電力の値ＳＰｖを出力として送り出すことができる。なお、起電力モニタ１６は太陽電池モジュール１０に組み込みでなくてもよい。充放電制御手段１１が太陽電池モジュール１０の起電力を知ることが出来さえすればよいので、太陽電池モジュール１０から充放電制御手段１１までの間に配置された電圧計でもよいからである。
【００２８】
図２には充放電制御手段１１の詳細図を示す。充放電制御手段１１には少なくとも制御装置（ＭＰＵ）２０、メモリ２４、電力制御部２２、タイマ２５を有する。制御装置２０は、メモリ２４と、太陽電池モジュール１０の起電力モニタ１６と、電力制御部２２と、充放電電流センサ１４と、電圧センサ１３とタイマ２５とに接続されている。
【００２９】
また、電力制御部２２は、太陽電池モジュール１０および二次電池１２および出力端子１５と配線Ｌ１乃至Ｌ３で接続されている。また、出力端子１５には負荷１９が接続される（図１参照）。
【００３０】
電力制御部２２は、太陽電池モジュール１０での発電電力のうち二次電池１２および出力端子１５（負荷１９）に供給する電力を調整する。また、内部には、ＤＣ−ＤＣコンバータなどの電圧変換手段（図示せず）を有しており、二次電池１２への充電電圧や出力端子１５（負荷１９）への供給電圧等を所定の値で出力することができる。さらに太陽電池モジュール１０が発電しない夜間などにおいては、二次電池１２に蓄えた電気量を出力端子１５（負荷１９）へ供給する制御も行い、二次電池１２からの電流が出力端子１５以外へは流れないようにする回路等を有している。なお、電力制御部２２のこれらの機能は、制御装置２０からの指示Ｃｏｖによって、起動、変更若しくは停止される。
【００３１】
次に充放電制御手段１１での機能について説明する。少なくとも本発明に係る充放電制御手段１１は、充放電電気量演算手段の機能を実現する。充放電電気量演算手段は、二次電池１２へ充電された電気量と二次電池１２から放電された電気量の合計である充放電電気量ΣＣを算出する。このように本発明に係る独立電源装置１は、二次電池１２に蓄積された電気を電気量（Ａｈ）に換算して管理する。
【００３２】
充放電制御手段１１では、充放電電流センサ１４からの信号（ＳＡ）から充放電電気量ΣＣを算出する充放電電気量演算手段を実現する。これは、制御装置２０が二次電池１２に流れた電流と流れた時間の積から電気量を求め、順次積算することで求められる。図３に充放電電気量演算手段のフローを示す。
【００３３】
図３を参照して、この処理がスタートすると（ステップＳ１０００）、初期値が設定される。初期値としては、微小時間の間の電気量であるΔＣと、積算した充放電電気量ΣＣである。これらの値をゼロに設定する（ステップＳ１０１０）。次に終了判定を行う（ステップＳ１０２０）。終了する場合は終了処理（ステップＳ１０７０）にフローを移す。
【００３４】
終了判定は、この処理中若しくは他の処理中であっても、作動中止の信号もしくはアクションがあれば、終了することができる。すなわち、終了判定の工程であるステップＳ１０２０には、どこからも処理が戻されていないが、これは以後のフローのどこからでもこの終了判定に戻れることを示すものとする。
【００３５】
次に制御装置２０は、充放電電流センサ１４からの電流値ＳＡと電流の向きを取得する（ステップＳ１０３０）。この時、取得する電流は例えば、充電用に流れた電流であれば正符号を、負荷１９に向かって流れた電流であれば、負符号をつけて扱えるようにしておくと好適である。なお、この時電圧センサ１３から電圧値ＳＶを取得してもよい。
【００３６】
次に電流値ＳＡと所定の微小時間ΔＴを乗算し、微小充放電電気量ΔＣを得る（ステップＳ１０４０）。そして、充放電電気量ΣＣに微小充放電電気量ΔＣを加算し、新たな充放電電気量ΣＣとする（ステップＳ１０５０）。そして、微小時間ΔＴが経過するまでそのまま待機する（ステップＳ１０６０）。そして、再びステップＳ１０３０に戻り、電流値ＳＡを取得する。このようにすることで、制御装置２０は、充放電電気量ΣＣ（二次電池１２から放電若しくは充電された結果の電気量の合計）を常に保持しておくことができる。
【００３７】
次に本発明の独立電源装置１の動作について説明する。なお、ここで満充電容量ＦＣを決めておく。満充電容量ＦＣとは、二次電池１２を満充電にしてから完全放電されるまでの電気量であり、電流×時間（Ａ・ｈｒ：「Ａｈ」と記す）で表される。これは、通常放電曲線と呼ばれる電池の特性曲線から求めることができる。
【００３８】
図４には、独立電源装置１の基本的な動作を説明するグラフを示す。また、図５には、図４に対する動作のフローを示す。図４（ａ）、（ｂ）、（ｃ）は共に横軸が時刻を表す。時刻ｔ１からｔ４までは太陽光線を得ることができる時間帯で、充電可能時間帯とする。図４（ａ）の縦軸は二次電池１２の端子電圧（Ｖ）である。電圧Ｖ１は公称電圧である。たとえば鉛蓄電池の場合は１３．０Ｖ程度である。
【００３９】
またＶ２は、充電時に許容される最大電圧で、定電圧設定値である。定電圧設定値は、後述するバルク充電から吸収充電に移行する際の目安になる値である。鉛蓄電池の場合は１４．９Ｖ程度である。
【００４０】
図４（ｂ）では縦軸は二次電池１２に流れる充放電電流（Ａ）である。電流値が正の場合は、二次電池１２に流れ込む電流、つまり充電される電流であり、電流値が負の場合は、二次電池１２から流れ出る電流である。また、図４（ｃ）では、縦軸は二次電池１２の充放電電気量ΣＣ（Ａｈ）である。
【００４１】
図５のフローを参照して、この処理がスタートすると（ステップＳ１００）、初期設定が行われ（ステップＳ１０２）、終了判定が行われる（ステップＳ１０４）。終了判定は、独立電源装置１の電源スイッチが停止されるといった、人為的な場合だけでなく、独立電源装置１でトラブルが生じ、割り込み等がかかった場合を含めてもよい。終了する場合（ステップＳ１０４のＹ分岐）は、独立電源装置１を終了させる（ステップＳ１４０）。
【００４２】
説明を簡単にするため、夜間二次電池１２が負荷１９に電力を供給し、図４の時刻ｔ０であるとする。この時は、充放電電気量ΣＣの積算を継続し（ステップＳ１０６）、太陽電池モジュール１０の起電力が生じたか否かを判断する（ステップＳ１０８）。なお、図５では、「パネルｏｎ（Ｖｔｈ）」と表示した。
【００４３】
これは起電力モニタ１６からの値ＳＰｖを参照することで行われる。より具体的には、値ＳＰｖが所定の電圧Ｖｔｈより大きくなったかどうかで判断する。ここで電圧Ｖｔｈは太陽電池モジュール１０の発電力を利用できるか否かを判断するための閾値である。
【００４４】
この時図４では時刻がｔ０からｔ１の間であり、二次電池１２の電圧（図４（ａ））は徐々に低下し、流れる電流（図４（ｂ））は二次電池１２から負荷１９に向かって流れている（符号が負）。したがって、充放電電気量ΣＣ（図４（ｃ））は、マイナス値を積算し、マイナス値の絶対値が大きくなる。すなわち、二次電池１２は枯渇状態に向かって減少していると言える。充放電電気量ΣＣが「−ＦＣ（Ａｈｒ）」となれば、二次電池１２の電気量は全て放出したことになる。
【００４５】
時刻ｔ１になると日が昇り太陽電池モジュール１０が発電を始める。起電力モニタ１６からの値ＳＰｖが所定の値（Ｖｔｈ）を超えたことを確認したら（ステップＳ１０８のＹ分岐）、バルク充電に移る（ステップＳ１１０）。バルク充電とは、二次電池１２への充電をＭＰＰＴ（Ｍａｘｉｍｕｍ  Ｐｏｗｅｒ  Ｐｏｉｎｔ  Ｔｒａｃｋｅｒ）制御で行う充電モードをいう。
【００４６】
ここでは、太陽電池モジュール１０が発電した電力のうち負荷１９が必要とする電力以外を全て二次電池１２への充電に使用する。制御装置２０は、電力制御部２２にこのような充電を行うことを指示Ｃｏｖで指示する。なお、バルク充電の間でも充放電電気量演算手段は処理を行っており、電気量の流れを算出し、充放電電気量ΣＣを積算している。
【００４７】
バルク充電では、二次電池１２に電流が流れ込むので、充放電電流は正となる（図４（ｂ）参照）。また、二次電池１２の端子電圧は上昇する（図４（ａ）参照）。バルク充電は二次電池１２の端子電圧が定電圧設定値Ｖ２になるまで続けられる（ステップＳ１１２のＮ分岐）。またこの間、二次電池１２へ電流が流れるので、充放電電気量ΣＣは、マイナス値からゼロに向かって増える（図４（ｃ）参照）。
【００４８】
二次電池１２の端子電圧値（ＳＶ）が定電圧設定値Ｖ２になったら（ステップＳ１１２のＹ分岐）、充電電圧を一定にして充電する定電圧充電モード（吸収充電とも呼ばれる）に移行する（ステップＳ１１８）。定電圧充電モードでは、二次電池１２の端子間電圧が所定の値（ここでは定電圧設定値Ｖ２）になるように、電力制御部２２が調整を行う。一方、充放電電流は徐々に減少する（図４（ｂ）参照）。
【００４９】
なお、この間でも充放電制御手段１１は、負荷１９には必要な電力を供給する。また、充放電電気量演算手段も継続し、充放電電気量ΣＣを算出し続けている。充放電電気量ΣＣは、二次電池１２へ電流が流れ込むので、マイナス値からゼロに向かって増加する。
【００５０】
定電圧充電モードでは、制御装置２０は、充放電電気量ΣＣが目標値ＴＣになったか否かを検出している。（ステップＳ１２０）。なお、定電圧充電モードになる直前に、所定日数が経過したか否かを調べ（ステップＳ１１４）、目標値ＴＣをゼロに定めている（ステップＳ１１６）。ここでは所定日数が経過してない（ステップＳ１１４のＮ分岐）場合について説明を続ける。所定日数が経過したか否かの判断については後述する。
【００５１】
充放電電気量ΣＣがマイナス値から目標値ＴＣ（ここでは「ゼロ」）になったら、定電圧充電モードを終了する（ステップＳ１２０のＹ分岐）。つまり、本発明の独立電源装置１では、二次電池１２から放電した充放電電気量ΣＣをマイナス値で積算しておき、充放電電気量ΣＣがゼロに戻るまで二次電池１２に充電を行う。言い換えると、従来行われていたように、二次電池１２の端子間電圧に基づいて満充電と判断することをしない。このような充電制御を行うことで、二次電池１２はほとんど劣化せずに使用することができる。
【００５２】
定電圧充電モードが終了したら（図４の時刻ｔ３）、次にゼロ充電モードに移行する（ステップＳ１２２）。ゼロ充電モードとは、二次電池１２に対しては全く充電を行わないモードである。太陽電池モジュール１０が生み出した電力のうち負荷１９が必要とする電力が電力制御部２２から供給される。したがって、充放電電流はゼロとなる（図４（ｂ）時刻ｔ３からｔ４参照）。また、充放電電流量ΣＣの値も変化しない。
【００５３】
ゼロ充電モードに移行したら、日暮れになったか否かをモニタする（ステップＳ１２４）。これは起電力モニタ１６の値ＳＰｖを制御装置２０が監視することで実現できる。ステップＳ１０８と同じであるが、値ＳＰｖと比較される閾値が、ステップＳ１０８の閾値Ｖｔｈより低い、Ｖｓｓに置き換えられる。すなわち、ゼロ充電モードは、日が暮れて太陽電池モジュール１０からの電力供給が全く無くなるまで継続される（ステップＳ１２４のＹ分岐）。
【００５４】
日が暮れて太陽電池モジュール１０の起電力がなくなったら（ステップＳ１２４のＮ分岐）、二次電池１２は貯えた電気量から負荷１９に対して放電を開始する。この時、二次電池１２と負荷１９は、制御装置２０の指示Ｃｏｖによって電力制御部２２が接続する。処理のフローは、日付ＤＬをインクリメントし（ステップＳ１２６）、ステップＳ１０４に戻る。ステップＳ１０４では、終了判定の後（ステップＳ１０４のＮ分岐）ふたたび、充放電電気量ΣＣにマイナス値を積算しながら負荷１９に電気を供給し、太陽電池モジュール１０の起動（ステップＳ１０８のＹ分岐）を待つ。
【００５５】
本発明の独立電源装置１では、数日に一度程度の間隔で、充放電電気量ΣＣが予め設定された値以上になるまで定電圧充電モードで充電する。予め設定された値とは、満充電容量ＦＣの０．２倍程度である。つまり、充放電電気量演算手段から見て、二次電池１２に対して、満充電容量の１．２倍程度の電気量になるように充電する。この時々行う過充電によって、二次電池１２の寿命はさらに延びる。
【００５６】
独立電源装置１では、充放電電気量演算手段によって、二次電池１２に対して出入りの電気量（充放電電気量ΣＣ）を算出し、その値に基づいて充電を行う。より具体的には二次電池１２から放出した電気量ＥＣ（符号はマイナス）と同じだけの充電電気量ＣＣ（符号はプラス）を充電する。これは、充放電電気量ΣＣがゼロになるように充電することを意味する。
【００５７】
しかしながら、実際には充電損失が生じ、充放電電気量ΣＣがゼロになるまで、二次電池１２に電気を流しても、充電されない電気量が生じる。つまり、計算上は充放電電気量ΣＣがゼロになっているのに、実際に二次電池１２に充電されている電気量はΣＣ−δである。なお、ここでδは微小電気量である。一方、二次電池１２から放出される電気量に関しては、ほとんど誤差は生じない。すなわち、放出した電気量ＥＣと実際に二次電池１２から失われた電気量はほぼ等しい。
【００５８】
したがって、充放電の回数が増えると、二次電池１２は、ゼロ充電となったときに二次電池１２に貯えられる電気量が減っていく。そこで、数日毎に過充電を行い、実際に二次電池１２に貯える電気量を満充電状態に戻す。
【００５９】
図５を再び参照して、ステップＳ１１４で日付ＤＬ＝Ｍの時にＹ分岐に進むのは、Ｍ日毎にＹ分岐を選択する意味である。通常Ｍは好ましくは４乃至７、より好ましくは５乃至６に設定するのが望ましい。
【００６０】
ステップＳ１１４でＹ分岐に進むと、定電圧充電モードで、過充電になるまで充電を行う。処理の流れは、目標値ＴＣをα（αは正の数値）として設定し、日付ＤＬをリセット（＝０）する（ステップＳ１３０）。そして、定電圧充電を行う（ステップＳ１３２乃至Ｓ１３４）。ここでの処理は、ステップＳ１１８乃至Ｓ１２０の場合と同じである。
【００６１】
ただし、ステップＳ１３４で判断するのは、充放電電気量ΣＣが目標値ＴＣ（＝α）になったか否かである。αは、満充電容量ＦＣの０．２倍程度を目途とするのが望ましい。すなわち、二次電池１２に対して見かけ上、満充電容量ＦＣの１．２倍程度の電気量を過充電する。したがって、αは０．２ＦＣ程度の電気量である。
【００６２】
充放電電気量ΣＣが正の値になるためには、充電時間を長くすることで行うことができる。
【００６３】
しかしながら、上記で説明したように、充電電気量ΣＣは、実際には損失が発生する。そして、充放電電気量ΣＣが０以上になるまで電気を流しても、実際には満充電容量ＦＣ程度の電気量の充電しかできない。したがって、計算値である充放電電気量ΣＣからいうと、二次電池１２には、１．２ＦＣの電気量が充電されているのに、実際に二次電池１２に蓄積された電気量は満充電容量ＦＣしか充電されていないという、計算値と実際の蓄積された電気量との間に乖離が生じる。
【００６４】
充放電を繰り返すとこの乖離はますます大きくなり、二次電池１２の充放電電気量ΣＣを正しく制御しているとは言えなくなる。そこで、過充電を行った際には、充放電電気量ΣＣの値をゼロにリセットする（ステップＳ１３６）。このようにすることで、過充電のたびごとに、充放電電気量ΣＣのゼロ点が、ほぼ満充電容量ＦＣと同じ値となるため、二次電池１２の有する電気量を正しく制御することができる。
【００６５】
なお、充放電電気量ΣＣをリセット（ステップＳ１３６）したら、処理は、ゼロ充電モードに移行する（ステップＳ１２２）。これ以後の処理は、上記に説明した通りである。なお、過充電の処理（ステップＳ１３０以後）に移行した際に、日付ＤＬをリセットしているので、ステップＳ１２６で日付ＤＬをインクリメントするときは、またゼロ日からインクリメントが開始される。
【００６６】
図６に、図５の処理フローを行った場合の日毎のサイクルを示す。ここでは、上記のＭを５日と設定した場合である。図６（ａ）は、制御装置２０が行う図５のフローによる充放電電気量ΣＣの変化である。また、図６（ｂ）は、実際の電池の電池容量の変化の想定図を示す。それぞれ、横軸は日にちである。図５のフローによれば、Ｍ日までは、毎日夜間に使用した電気量と同じだけの電気量（ΣＣ＝０まで）を充電する（図６（ａ）参照）。
【００６７】
しかし、実際の電池の電池容量は、少しずつ減少する（図６（ｂ）参照）。５日目に、図５のフローにおいて、ΣＣ＝０．２ＦＣまで充電を行う。これによって、実際の電池容量は最初の容量まで戻る。
【００６８】
以上のように本発明に係る独立電源装置１では、二次電池１２からの電気量の出入りを算出し、それに基づいて太陽電池モジュール１０からの充電を行うので、発電量が天候に左右され不安定な太陽電池モジュール１０を使っても、二次電池１２の劣化が少ない。
【００６９】
なお、図４および図５で示した太陽電池モジュール１０から二次電池１２への充電は、天候が理想的な場合であり、常に変動する太陽電池モジュール１０の発電力が低下した場合には、上記のフローに他の処理が割り込んでもよい。本発明の独立電源装置１は、少なくとも、理想的な天候の場合に、上記のような工程を経て、二次電池１２に充電すれば足りるものである。
【００７０】
（実施の形態２）
本実施の形態の独立電源装置２は実施の形態１で示した独立電源装置１と同じ構成を有する。したがって、ハード的な構成は、図１および図２に示す通りである。独立電源装置２は、図５に係る処理が独立電源装置１と異なる部分を有する。
【００７１】
図７を参照する。図７は図４とほぼ同じ図である。二次電池１２は、図６（ｂ）で示したように、充放電を繰り返すと、放電した電気量だけを充電しても、元の電池容量に戻らない。この事実は、図４に示すｔ３が徐々にｔ２に近づくことで確認でき、やがて図７に示すようにｔ２＝ｔ３となる。つまり、バルク充電により充放電電気量ΣＣをゼロまで充電した時に、電池の端子電圧が定電圧設定値Ｖ２に達し、定電圧モードが行われなくなる。
【００７２】
本実施の形態では、このような状況になった時に、充放電電気量ΣＣが０．２になるまで過充電を行う。電池の劣化の状態というのは、それまで使用履歴に依存する（充電量は日々の天候に左右され、放電量は負荷１９の消費電力量に左右される）。したがって、実施の形態１で示したように、一定日数毎に過充電を行う場合、使用する二次電池１２を過充電する時の実際の電池の電池容量はその都度異なってしまうこととなる。
【００７３】
発明者はこの点について検討した結果、バルク充電する際に定電圧設定値（Ｖ２）に達する時刻（図４のｔ２）と、定電圧充電を行い、充放電電気量ΣＣがゼロになる時刻（図４のｔ３）との時間間隔に着目し、この時間間隔（以下「劣化指標時間」と呼ぶ）が所定の時間（「Ｔｔｈ」とする。）になった際に、過充電をすれば、実際の電池の電池容量がほぼ同一状態から充電を開始し、過充電状態にすることができ、使用履歴による影響を考慮することなく、寿命を延ばせることを見出した。
【００７４】
ここで最も好ましいのは、「劣化指標時間」が常に同じ時間で過充電処理を行うことである。しかしながら、太陽電池モジュール１０を利用する場合、天候によって、途中で充電を中止する場合を想定する必要がある。したがって、「劣化指標時間」が所定の時間以下になったら、過充電処理を行うことを最優先にするように処理を行えばよい。
【００７５】
本実施の形態に係る処理のフローを図８に示す。図５のフローと同じ部分があるので、異なる部分について説明する。なお、図５のフローと異なる部分については、ステップ番号にアンダーラインを付した。独立電源装置２のフローでは、バルク充電によって定電圧設定値（Ｖ２）になった時の時刻ｔ２と、定電圧充電によって充放電電気量ΣＣがゼロまで回復した時の時刻ｔ３を記録し、その差が所定値（Ｔｔｈ）以下になった時に過充電処理をおこなう。
【００７６】
まず、ステップＳ１１０とステップＳ１１２でバルク充電を行う。バルク充電が終了したら（ステップＳ１１２のＹ分岐）、その時の時刻ｔ２を変数Ｔｓｖとして記録する（ステップＳ１１１１）。次に、ステップＳ１１８とステップＳ１２０で定電圧充電を行う。そして、定電圧充電が終了したら（ステップＳ１２０のＹ分岐）、その時の時刻ｔ３を変数Ｔｅｃとして記録する（ステップＳ１１１２）。
【００７７】
そして、過充電処理（ステップＳ１１１３）に移る。過充電処理（ステップＳ１１１３）では、「劣化指標時間」を求め、その値に基づいて、過充電を行うか否かを判断し、過充電処理を行う場合は、過充電処理まで行う。
【００７８】
図９にステップＳ１１１３の詳細を示す。まず、変数Ｔｅｃと変数Ｔｓｖとの差である「劣化指標時間」を求め、所定時間Ｔｔｈより小さいか否かを判断する（ステップＳ１２０１）。「劣化指標時間」が所定時間Ｔｔｈより短ければ過充電を行うと判断し、充電量の目標値ＴＣに所定の値を入れる（ステップＳ１２０２）。過充電は満充電容量ＦＣのおよそ２０％が目安である。そこで、ここでは、過充電処理の場合の目標値ＴＣは０．２とする。
【００７９】
「劣化指標時間」が所定時間Ｔｔｈより小さくなければ、二次電池１２は、まだ使用することができると判断し、充電量の目標値ＴＣをゼロに設定する（ステップＳ１２０３）。そして、定電圧充電を行う（ステップＳ１２０４）。過充電処理でなければ、目標値ＴＣはゼロであり、すでにこのステップＳ１１１３の前のステップで、充放電電気量ΣＣはゼロまで充電されている。したがって、充放電電気量ΣＣと目標値ＴＣの比較はすぐに抜ける（ステップＳ１２０５のＹ分岐）。
【００８０】
また、過充電処理を行う場合は、目標値ＴＣが０．２に設定されているので、充放電電気量ΣＣがゼロになるまで定電圧充電が行われる。
【００８１】
定電圧充電が終了したら（ステップＳ１２０５のＹ分岐）、次に目標値ＴＣがゼロになっているか否かを判断する（ステップＳ１２０６）。もし目標値ＴＣがゼロでなければ（ステップＳ１２０６のＮ分岐）、過充電処理をし終えたということであるので、充放電電気量ΣＣと目標値ＴＣをゼロにリセットする（ステップＳ１２０７）。目標値ＴＣがゼロの場合（ステップＳ１２０６のＹ分岐）は、過充電処理を行わなかったとしてステップＳ１２０７をスキップする。
【００８２】
以上のように、過充電処理を行うステップＳ１１１３によって、「劣化指標時間」が所定の時間Ｔｔｈになったら、過充電処理を行うことができる。このように「劣化指標時間」に基づいて過充電を行うので、独立電源装置２は、実際の二次電池１２の電池容量がほぼ同一状態から充電を開始し、過充電状態にすることができ、使用履歴による影響を考慮することなく、寿命を延ばせる。
【００８３】
（実施の形態３）
本実施の形態に係る独立電源装置３は、過充電を行う際に、太陽電池モジュール１０が天気によって所定の発電ができなかった場合の処理を含む。より具体的には、独立電源装置３は、所定の充放電電気量ΣＣまで充電できなかった場合に、翌日の充電の際に残りの電気量を充電する。
【００８４】
図１０に、この充電の模式を示す。縦軸は充放電電気量ΣＣである。横軸は、日にちである。独立電源装置３は、あるＫ日に過充電をすると仮定する。過充電の目標値ＴＣは充放電電気量ΣＣ＝０．２である。しかしながら、天候等の関係で、時刻ＥＭの時点で充電が中止され、ＤＣ１までしか充電できなかったとする。独立電源装置３は、次の日（Ｋ＋１日）に少なくとも残りのＤＣ２を充電する。なお、ここで、ＤＣ１＋ＤＣ２＝α（０．２）である。このように、過充電を、翌日に回して行っても、電池の寿命を延ばすことができる。
【００８５】
図１１に独立電源装置３のフローを示す。ステップＳ１１０、Ｓ１１２でバルク充電を行い、ステップＳ１１８、Ｓ１２０で定電圧充電を行うのは、実施の形態２の場合と同じである。また、ステップＳ１１１１とステップＳ１１１２で、時刻ｔ２および時刻ｔ３（図４参照）を記録するのも、実施の形態２で説明した通りである。
【００８６】
ステップＳ１１１４の過充電処理の内容を図１２に示す。図１２を参照して、まず、変数ＮＸが１であるかを判断する（ステップＳ１３０１）。変数ＮＸは、過充電処理の途中で充電が途絶えた場合に設定されるフラグである。変数ＮＸが１であれば（ステップＳ１３０１のＹ分岐）前日に過充電処理を行い、しかも途中で中断したことを意味する。
【００８７】
変数ＮＸが１でなければ（ステップＳ１３０１のＮ分岐）、「劣化指標時間」が所定時間Ｔｔｈより短いか否かを判断する（ステップＳ１２０１）。以下は実施の形態２の場合とほぼ同じである。「劣化指標時間」が所定時間Ｔｔｈより短ければ過充電を行うと判断し、充電量の目標値ＴＣに所定の値を入れる（ステップＳ１２０２）。
【００８８】
「劣化指標時間」が所定時間Ｔｔｈより小さくなければ、二次電池１２は、まだ使用することができると判断し、充電量の目標値ＴＣをゼロに設定する（ステップＳ１２０３）。そして、定電圧充電を行う（ステップＳ１２０４）。過充電処理でなければ、目標値ＴＣはゼロであり、すでにこのステップＳ１１１４の前のステップで、充放電電気量ΣＣはゼロまで充電されている。したがって、充放電電気量ΣＣと目標値ＴＣの比較はすぐに抜ける（ステップＳ１２０５のＹ分岐）。
【００８９】
次に目標値ＴＣがゼロになっているか否かを判断する（ステップＳ１２０６）。もし目標値ＴＣがゼロ以外になっていれば、過充電処理をし終えたということであるので、充放電電気量ΣＣと目標値ＴＣをゼロにリセットする（ステップＳ１２０７）。過充電処理を行わなかった場合（ステップＳ１２０６のＹ分岐）は、ステップＳ１２０７をスキップする。以上のステップは、実施の形態２の場合と同じである。
【００９０】
一方、過充電処理を行う場合、すなわち充電の目標値ＴＣが０．２に設定されている過充電処理を行う場合は、実施の形態２と異なる。つまり、目標値ＴＣが０．２に設定されているので、充放電電気量ΣＣがゼロになるまで定電圧充電が行われるが、太陽電池モジュール１０の起電力ＳＰｖが所定の電圧Ｖｔｈより大きいか否かを常に判断する（ステップＳ１３０３）。
【００９１】
太陽電池モジュール１０が発電している場合（ステップＳ１３０３のＹ分岐）では、定電圧充電が続行される（ステップＳ１２０４）。しかし、定電圧充電の途中で、太陽電池モジュール１０が発電しなくなった場合（ステップＳ１３０３のＮ分岐）、変数ＮＸに１を立て、そこまでの充電量である充放電電気量ΣＣをＤＣ１として記録する。そして、このステップＳ１１１４を抜ける。
【００９２】
過充電処理であるステップＳ１１１４を抜けると、図１１に戻り、ゼロ充電（ステップＳ１２２）が行われる。このようにして、フローは、ステップＳ１０４に戻る。翌日は、また、バルク充電および定電圧充電が行われ再びステップＳ１１１４に戻ってくる。
【００９３】
再び図１２を参照して、前日に過充電処理を途中で中止しているので、変数ＮＸは１が代入されている。したがって、ステップＳ１３０１ではＹ分岐に進む。ここでは、充電の目標値ＴＣをα（０．２）−ＤＣ１として求める。ここでα（０．２）は、過充電処理を行う際の充電の目標値である。また、変数ＮＸはここでリセットしておく（ステップＳ１３０２）。
【００９４】
処理は、続いて定電圧充電に移る（ステップＳ１２０４）。ここでは、充電の目標値ＴＣが前日に到達した値と過充電処理の目標値である０．２との差となっているので、残り分が充電される（ステップＳ１２０５）。
【００９５】
定電圧充電が終了したら、目標値ＴＣがゼロであるか否かを判断する（ステップＳ１２０６）。過充電処理を行った場合は、目標値ＴＣはゼロではないので、パラメータのリセットが行われる（ステップＳ１２０７）。
【００９６】
以上のように独立電源装置３は、過充電処理を行う際に、充電が途中で中断された場合は、翌日に残りの部分を充電する。結果、「劣化指標時間」に基づいて行う過充電は、確実に実行され、二次電池１２の寿命は延びる。
【００９７】
（実施の形態４）
実施の形態１乃至３までに示すように、所定のタイミングで過充電処理を行うことで、二次電池１２の寿命を伸ばすことができる。しかしながら、二次電池１２が劣化してしまうと、過充電処理を行っても、二次電池１２の容量は元に戻らない。このような場合は、二次電池１２自体を交換する必要がある。本実施の形態における独立電源装置４は、過充電処理を行っても二次電池１２の容量が元に戻らないと判断出来る場合は、その旨を通知する機能を有する。
【００９８】
図１３には、独立電源装置４の構成を示す。実施の形態１乃至３で説明した図１と同じ部分は、同じ符号を示し、説明は省略する。図１３において、実施の形態１乃至３と異なる部分は、充放電制御手段１１が、通知手段４０を有する点である。図１３では通知手段４０として、二次電池１２が劣化していることを外部へ通知する表示４２が点灯することで表した。
【００９９】
なお、表示４２は一例であり、グラフィック画面への表示であってもよいし、他の機器への通知信号であってもよい。また、独立電源装置４の内部で何らかの処理を行うための起動信号として用いても良い。独立電源装置４は過充電処理を行った後、二次電池１２の電圧を測定し、所定の電圧以下の場合は、二次電池１２が劣化したものと判断し、通知手段４０で外部に通知する。
【０１００】
図１４は充放電制御手段１１の詳細な構成を示す図である。図２と同じ部分には同じ符号を付与し、説明を省略する。通知手段４０は、制御装置２０の出力として構成される。より具体的には、制御装置２０は、二次電池１２が劣化したと判断した場合には、通知信号Ｓｂｄを生成し、それを配線Ｌ１０に流す。
【０１０１】
二次電池１２の電池容量が元に戻ったか否かは、二次電池１２の電極間の電圧ＳＶによって判断する。電圧センサ１３の信号を受け取る制御装置２０が出力するのが最も簡単に構成できるからである。
【０１０２】
図１５に二次電池１２が劣化したために電池容量が戻らない場合の例を示す。図１５を参照して、１日目から４日目までは、ΣＣがゼロになるように充電を行う。しかし、実際はロスする分が発生し、電池容量としては、元（ゼロ）の容量より下がる。そこで、５日目に過充電処理を行う（Ａ点）。そこで、電池容量は、元（ゼロ）の容量に復帰する（Ｂ点）。
【０１０３】
しかし、二次電池１２を長い間使用すると、電解質や電極が経年変化を起こし、もはや可逆変化できない状態になる。そのようになると、二次電池１２としては劣化が生じ、過充電処理を行っても電池容量は元（ゼロ）の容量まで戻らない。図１５では、Ｎ＋４日目に過充電処理を行った（ＡＮ点）が、電池容量は元の容量まで回復しない状態（ＢＮ点）を示す。
【０１０４】
このように二次電池１２の構成材料が変化することで、二次電池１２が劣化してしまうと、外部からの充電をどのように行っても、電池容量は復帰しない。すると、予定された負荷への供給ができなくなるおそれがある。したがって、劣化した二次電池１２は交換する必要がある。
【０１０５】
図１６には、独立電源装置４の処理フローを示す。これは、図５で示した独立電源装置１の処理フローとほぼ同じ処理である。図５との違いは、過充電処理を行う部分（ステップＳ１３０からＳ１３６）に、電池容量を確認するフロー（ステップＳ１４０、Ｓ１４２）を加えた点である。
【０１０６】
電池容量を確認するフローは、過充電処理が終了した直後に行う。若しくはゼロ充電処理の直前と言っても良い。つまりステップＳ１３６の次（ステップＳ１２２の手前）に挿入する。二次電池１２の劣化は過充電処理の効果（電池容量の復帰）の有無で調べるからである。なお、回路の調整としては、後述するようにゼロ充電モードにしておく必要がある。
【０１０７】
ステップＳ１３０からＳ１３４で過充電処理を行い、ステップＳ１３６で、充放電電気量ΣＣをゼロにリセットする。次にステップＳ１４０で、二次電池１２の端子間電圧ＳＶが所定の電圧値ＳＶｔｈより大きいか否かを判断する。ここで所定の電圧値ＳＶｔｈは、電池が劣化したと判断できる電圧値で、劣化判断電圧と呼んでもよい。劣化判断電圧ＳＶｔｈは、例えば満充電時の公称電圧の８０％に相当する値である。劣化判断電圧ＳＶｔｈの値自体は、予め設計時に決めておく値であってよい。
【０１０８】
二次電池１２の端子電圧は電圧センサ１３からの測定値ＳＶを用いて良い。電圧センサ１３は、二次電池１２の開放電圧を測定しているわけではない。二次電池１２は独立電源装置４に接続された状態だからである。しかし、電力制御部２２（図１４参照）がゼロ充電モードに調整されていれば、二次電池１２の端子間電圧ＳＶは、ほぼ開放電圧に等しいと考えて良い。ゼロ充電モードとは二次電池１２に対して充放電を行わないモードだからである。
【０１０９】
また、二次電池１２の端子間電圧と電池容量には、ほぼ比例関係があると考えても良い。図１７には、鉛電池の端子間電圧と電池容量を調べたグラフを示す。縦軸は開放電圧（Ｖ）であり、横軸は電池容量（％）である。黒丸は二次電池１２が０（ゼロ）℃の時であり、白丸は４０℃の時である。図１７は右下がりのグラフになっており、開放電圧と、電池容量には概ね比例関係がある。
【０１１０】
通常システムに組み込まれた二次電池１２の開放電圧を測定するためには、機械的に二次電池１２の端子とシステムを切断して測定する仕組みが必要となる。しかし、本発明に係る独立電源装置４では、ゼロ充電モードを利用することによって、開放電圧を測定したと同じ効果を得る。
【０１１１】
図１６を再び参照して、端子間電圧ＳＶが劣化判断電圧ＳＶｔｈより高ければ（ステップＳ１４０のＹ分岐）、二次電池１２の劣化はないと判断し、次のステップ（ステップＳ１２２）に処理を移す。もし端子間電圧ＳＶが劣化判断電圧ＳＶｔｈより低ければ（ステップＳ１４０のＮ分岐）、制御装置２０は、二次電池１２が劣化したものと判断し、通知手段４０を作動させる（ステップＳ１４２）。より具体的にいうと、制御装置２０は、通知信号Ｓｂｄを生成し、所定のパス（Ｌ１０）で通知信号Ｓｂｄを送信する。そして、次のステップＳ１２２に処理を移す。
【０１１２】
以上の処理を付加することで、独立電源装置４は、過充電処理を行った際に、二次電池１２の劣化を判断し、劣化していた場合は、通知信号Ｓｂｄを生成する。
【０１１３】
なお、以上の説明では、実施の形態１の場合に二次電池１２の劣化判断処理を付加したが、実施の形態２および３の場合に付加してもよい。具体的には、図８で示した独立電源装置２の処理フローの場合は、ステップＳ１１１３の過充電処理とステップＳ１２２のゼロ充電のフローの間に、図１６で示したステップＳ１４０とＳ１４２を付加する。
【０１１４】
また、図１１で示した独立電源装置３の場合は、ステップＳ１１１４の過充電処理と、ステップＳ１２２のゼロ充電のフローの間にステップＳ１４０とステップＳ１４２のフローを付加すればよい。
【産業上の利用可能性】
【０１１５】
本発明の独立電源装置は、太陽電池モジュールを用いた電源装置だけでなく、二次電池
の充電制御に広く利用することができる。
【符号の説明】
【０１１６】
１  独立電源装置
１０  太陽電池モジュール
１１  充放電制御手段
１２  二次電池
１３  電圧センサ
１４  充放電電流センサ
１５  出力端子
１６  起電力モニタ
１９  負荷
２０  制御装置
２２  電力制御部
２４  メモリ
２５  タイマ
４０  通知手段
４２  表示
【図１】
2014209827.tif 000003
【図２】
2014209827.tif 000004
【図３】
2014209827.tif 000005
【図４】
2014209827.tif 000006
【図５】
2014209827.tif 000007
【図６】
2014209827.tif 000008
【図７】
2014209827.tif 000009
【図８】
2014209827.tif 000010
【図９】
2014209827.tif 000011
【図１０】
2014209827.tif 000012
【図１１】
2014209827.tif 000013
【図１２】
2014209827.tif 000014
【図１３】
2014209827.tif 000015
【図１４】
2014209827.tif 000016
【図１５】
2014209827.tif 000017
【図１６】
2014209827.tif 000018
【図１７】
2014209827.tif 000019